(57)【要約】【課題】タイルユニット製造に使用するためのパレットで、磨耗などの耐久性に優れ、加熱による反りの影響を受けにくく、紙貼り式タイルユニットと樹脂連結式タイルユニット兼用で使用可能なタイル固定配列用パレットの提供。【解決手段】材質が金属製であるパレットの表と裏の両面に、タイルユニットを構成する各タイルの固定配列用凹形溝４を設け、各タイル間の目地部分を開けるため断面が台形である凸形仕切り桝目５の一部に樹脂配置のための逆台形の開口部６を設け、表と裏を同じ形状とした。この金属製パレット全体に離型加工を施すことで、開口部６に接着樹脂を滴下配置した場合に生じるタイルと金属製パレットの接着を防止し、樹脂で接合されたタイルユニットのパレットからの離型を解決した。【選択図】          図２
2004176331.tif 000002
【特許請求の範囲】
【請求項１】
タイルユニット製造に用いるための、金属製であることを特徴とするタイル固定配列用パレット。
【請求項２】
請求項１記載のパレットで、表面と裏面の両方にタイル固定配列用の矩形凹溝を設けて、両面の使用を可能にしたことを特徴とする金属製タイル固定配列用パレット。
【請求項３】
請求項１、請求項２、記載のパレット全面に離型のための加工を施したことを特徴とする金属製タイル固定配列用パレット。
【請求項４】
目地寸法確保の仕切り部分に接着樹脂を配置するための傾斜した開口部を設けたことを特徴とする請求項３記載の金属製タイル固定配列用パレット。
【発明の詳細な説明】
【０００１】
【発明の属する技術分野】
本発明は、紙貼り式タイルユニットの製造や、樹脂接着式タイルユニットの製造に用いるタイル固定配列用のパレットに関する。
【０００２】
【従来の技術】
従来のタイル固定配列用のパレットは、耐熱樹脂板の片面にタイル固定用溝を設けた成型品図１であり、１はタイル固定配列用の溝である。２は各タイル間の目地を設けるための仕切り桝目である。このパレットは合成樹脂製のためタイルとの摩擦で磨耗が激しく、タイル配列用の溝１や目地寸法確保のために設けられた仕切り２が短期間で磨耗してしまうためタイルユニットの外形寸法や目地寸法の精度低下となり、パレットの耐久性が問題点として指摘されていた。
【０００３】
紙貼り式タイルユニットの製造では、パレット上に配列されたタイルの表面に紙を貼り、糊を乾燥させるための加熱炉を通過する製造方法をとるが、樹脂製パレットは加熱、冷却による反りや変形が発生してくるため、製造されるタイルユニットの目地間の正確さに欠けるところがあった。
【０００４】
また、樹脂接着式タイルユニット製造の場合には、各タイルを連結するたタイル間に接着樹脂を配置する必要があるが、従来の樹脂製パレット図１ではそのための構造がなく、仮に各タイル間の目地を設けるための仕切り２に適当な開口部を設けたとしても、接着樹脂によって接合されたタイルとパレットも同時に接着されてしまい、タイルユニットの取り外しができないため共用することができなかった。
【０００５】
耐熱樹脂製パレットの耐久性は、タイルユニットの連続生産に使用した場合約３ケ月前後であり、使用済みのパレットは産業廃棄物として廃棄されるため、環境への悪影響が問題点として指摘されていた。
【０００６】
【発明が解決しようとする課題】
本発明の目的は、紙貼り式タイルユニット製造と樹脂接着式タイルユニット製造に兼用することができ、磨耗や反り、変形が発生しにくくリサイクルが可能なパレットを提供することを課題とする。
【０００７】
【問題を解決するための手段】
以上の課題を解決するために、請求項１の発明はタイルユニット製造に用いるための、金属製であることを特徴とするタイル固定配列用パレット
【０００８】
また、請求項２の発明は、０００７記載のパレットの表面と裏面の両方にタイル固定配列用の矩形凹形溝を設けて、両面の使用を可能にしたことを特徴とする金属製タイル固定配列用パレットである。
【０００９】
また、請求項３の発明は、０００７と０００８記載のパレットの全面に離型のための加工を施したことを特徴とする金属製タイル固定配列用パレットである。
【００１０】
また、請求項４の発明は、このパレットを樹脂接着式タイルユニットの製造にも使用可能とするために、目地寸法確保の仕切り部分に接着樹脂を配置するための傾斜した開口部を設けたことを特徴とする金属製タイル固定配列用パレットである。
【００１１】
【発明実施の形態】
本発明実施の形態は、金属で製造されたタイル固定配列用パレットであり、特に加工成型が容易なアルミダイキャスト製が軽量であり望ましい。
【００１２】
【実施例】
本発明の実施例を説明する。図２は金属パレット全体の斜視図であり、材質はアルミダイキャスト製であり、３はパレット本体及び外枠である。４はタイル固定配列用の凹溝である。５はタイルユニットを構成する各タイル間の目地を設けるための仕切りであり、Ａ−Ａの断面形状は図３−５に示すとおり台形状の凸型である。この形状は接着樹脂で接合されたタイルユニット図２−１２をパレットより離脱しやすくするための傾斜であり、タイルを配列するときの整列が容易になる効果もある。
【００１３】
図２−６はこのパレットを樹脂接着式タイルユニットにも使用できるように、接着樹脂を配置するための開口部を目地寸法確保のための仕切りの一部に設けたものであり、このパレットを樹脂接着式タイルユニット製造に使用する場合にはこの開口部に接着用樹脂を配置する。
【００１４】
図２−７はタイルユニット押し出し用の開口穴であり、金属製パレットの表面の磨耗が進み離型効果が落ちてきた場合、接着樹脂連結のタイルユニットを裏面より押すことによりパレットから離型を行うための開口穴である。
【００１５】
図２−１２はこのパレットに配列されるタイルであり、タイル裏面を下にしてパレット上部に配置される。
【００１６】
図３は図２のＡ−Ａ部分の断面図である。３はパレット本体及び外枠であり、パレットのおもて面（図の上部）とうら面（図の下部）は同じ形状である。５は各タイル間の目地寸法を確保するための仕切りで、６は配列されたタイル間の目地部分に接着用樹脂を配置するための開口部である。６の開口部は逆台形であり、上辺９の寸法は底辺８の寸法より少なくとも２ミリメートル以上長い。下部開口より上部開口が広くなるように開口部分の傾斜を設けることにより、接着樹脂で連結されたタイルユニットをパレットより離脱するときの離型効果を向上させると共に、タイル端面への樹脂の接着面をより大きくする効果も兼ねている。
【００１７】
この開口寸法８は５ｍｍ〜１５ｍｍが適当であり、使用される接着用樹脂の粘度や凝集力によって適正寸法を決定する。
【００１８】
図４は００１２記載のアルミダイキャスト製パレットに離型加工を施した図２Ｂ−Ｂの断面図である。図４−３はパレット本体及び外枠であり、４はタイル固定配列用の凹形溝である。５はタイルユニットを構成する各タイル間の目地を設けるための台形型の凸形仕切りであり、６は接着用樹脂を配置する開口部で７はタイルユニット押し出し用の開口穴でありある。
【００１９】
図４−１０はパレット本体の耐用年数を延ばすため、アルミダイキャスト製パレット表面にアルミナの溶射加工を施した。この加工は他の金属やセラミックでもよく、溶射層の代わりに金属製パレット表面に直接ブラスト加工を施した粗面加工でもよい。さらにその上部層としてシリコン樹脂のコーティング１１を行う。この表面処理により、配列されるタイル１２を接合した接着樹脂とのパレットとの離型が可能になる。１２は配列されるタイルでありアルミダイキャスト製パレットのおもて面に矢印の方向に配列される。
【００２０】
００１９で記載のアルミダイキャスト製パレットに施した離型処理は、タイルユニットとの摩擦により徐々にではあるが表面のシリコン樹脂及び溶射層が磨耗し、離型性能の低下が避けられない。離型性能が低下して図２−７の開口穴よりタイルユニットを強く押し出さねば離型しなくなった場合、当該パレットに００１９に記載した離型のための再加工が可能である。これによりパレット本体は再使用が可能になり、経済的であると同時に産業廃棄物の低減にもつながる。
【００２１】
また、００１９の表面処理を行うことで軽量であるが磨耗しやすいアルミダイキャストでもパレットの製造することが可能となった。００１９で記載したアルミナ以外の硬度の高い金属やセラミック粒子（例えばチタンやサーメット）の溶射加工をすることで、パレットの表面磨耗強度の改善が可能である。
【００２２】
かかる金属製パレットでは、表と裏の両面にまったく同じ加工を行うため、加熱や冷却による歪が発生しにくく、より正確なタイルユニットの製造が可能になる。
【００２３】
特に００１２に記載したように、パレットの材質をアルミダイキャストで製造すれば、アルミ資源のリサイクルが可能である。
【発明の効果】
本発明の金属製パレットを使用することにより、より精度の高いタイルユニットの製造が可能になり、またパレットの耐用年数が延びることでタイルユニットのコスト低減につなげることが出来る。紙貼り式タイルユニット製造と樹脂接着式タイルユニット製造の両方に兼用として使用することが出来るので経済的であり、アルミ素材などの金属はリサイクルすることにより産業廃棄物の低減に大きく寄与するものである。
【図面の簡単な説明】
【図１】従来の耐熱樹脂製パレットを示した斜視図である。
【図２】本発明である金属製アルミパレットの実施例を示す斜視図である。
【図３】図２−４のＡ−Ａの実施例を示す断面図である。
【図４】図２−４のＢ−Ｂの実施例を示す断面図である。
【符号の説明】
１  従来のタイル配列用凹形溝
２  従来のタイル間の目地を空けるための凸形仕切り
３  金属製パレット本体及び外枠
４  タイル固定配列用凹形溝
５  タイル間の目地を設けるための凸形仕切り
６  接着用樹脂を配置するための開口部分
７  タイルユニット押し出し用穴
８  開口底部寸法
９  開口上部寸法
１０  溶射加工層
１１  シリコン樹脂コーティング層
１２  タイル
【図１】
2004176331.tif 000003
【図２】
2004176331.tif 000004
【図３】
2004176331.tif 000005
【図４】
2004176331.tif 000006